(57)【要約】      （修正有）【課題】商品陳列台の陳列高さを数段階で調整できる比較的小さな伸縮用脚を提供する。【解決手段】外管１と、外管１内に出没自在に嵌め込まれる内管２を有する伸縮脚であって、内管２の外周面には係合用突起２２ａが形成され、外管１の内周面には内管２が挿入される側の先端から所定長さで、径方向と直交する方向に延びる係止用突起２２ａの移動をガイドするガイド溝１８が形成され、ガイド溝１８の途中またはガイド溝１８の挿入側とは反対側の端部１１１からガイド溝１８と直交する周方向に位置する外管１の内周面には、係止用突起２２ａが係止する凹部が端部１１１に近接して形成されている伸縮用脚。【選択図】図１３
0003196867.tif 000002
【実用新案登録請求の範囲】
【請求項１】
外管と、
外管内に出没自在に嵌め込まれる内管を有する伸縮脚であって、
該内管の外周面には係合用突起が形成され、
該外管の内周面には該内管が挿入される側の先端から所定長さで、径方向と直交する方向に延びる該係止用突起の移動をガイドするガイド溝が形成され、
該ガイド溝の途中または該ガイド溝の挿入側とは反対側の端部から該ガイド溝と直交する周方向に位置する該外管の内周面には、該係止用突起が係止する凹部が該端部に近接して形成されていることを特徴とする伸縮用脚。
【請求項２】
該ガイド溝は途中まで形成されたものであり、該ガイド溝の挿入側とは反対側の端には、該内管の挿入を僅かに抑制する小突起が形成されていることを特徴とする請求項１記載の伸縮用脚。
【請求項３】
該端部は、該ガイド溝の溝深さよりやや深い深さを有する小凹部であることを特徴とする請求項１または２記載の伸縮用脚。
【請求項４】
該係止用突起は、長手方向に所定のピッチで２〜４個形成されることを特徴とする請求項１〜３のいずれか１項に記載の伸縮用脚。
【請求項５】
該端部は、該外管に該内管を固定する際、該内管が軸中心に回動を始動する始動位置であって、該外管の長手方向の中間に形成されていることを特徴とする請求項１〜４のいずれか１項に記載の伸縮用脚。
【請求項６】
該端部から該凹部へは、該小凹部である第１谷、該小凹部と該凹部間の該外管の内周面である第１山、該凹部である第２谷、該凹部の反端部側で隣接する該外管の内周面である第２山の連続凹凸であることを特徴とする請求項３〜５のいずれか１項に記載の伸縮用脚。
【請求項７】
該内管の挿入側の先端部は、長手方向に切り欠かれた一対の切り込みによる弾性部が形成され、該弾性部には外側に突出する内管係止部を形成したことを特徴とする請求項１〜６のいずれか１項に記載の伸縮用脚。
【請求項８】
該端部と対峙する側の管壁であって、且つ該端部より上方の管壁を一部切り欠くことで、該内管係止部が係止する係止端部を形成したことを特徴とする請求項１〜７のいずれか１項に記載の伸縮用脚。
【請求項９】
該外管の上端部の内周面にはネジを形成したことを特徴とする請求項１〜８のいずれか１項に記載の伸縮用脚。 
【考案の詳細な説明】
【技術分野】
【０００１】
本考案は、例えば板状の商品陳列台の高さを数段階で調整できる比較的小さな伸縮用脚に関するものである。
【背景技術】
【０００２】
スーパー、コンビニには、冷蔵食材等を陳列するため、冷ケースが使用されている。従来、冷ケース内における商品の陳列は、冷ケースの内部構造にもよるが、陳列の演出を高めるため、陳列台の陳列面を嵩上げしたい場合がある。このような場合、従来では、陳列面嵩上げ用の部材を使用していた。
【考案の概要】
【考案が解決しようとする課題】
【０００３】
しかしながら、陳列面嵩上げ用の部材の場合、それ単独で微妙な数段階の高さ調整ができない。近年、デザート等の冷蔵食品は、包装容器も斬新で顧客の目を惹くものが多いものの、冷ケース内にワンパターンで陳列する程度では、陳列の演出効果が期待できない。そこで、陳列面の高さを２段階、好ましくは３段階で微調整できる嵩上げ用部材の開発が望まれていた。
【０００４】
従って、本考案の目的は、商品陳列台の陳列高さを数段階で調整できる比較的小さな伸縮用脚を提供することにある。
【０００５】
すなわち、本考案は、前記従来の課題を解決したものであって、外管と、外管内に出没自在に嵌め込まれる内管を有する伸縮脚であって、該内管の外周面には係合用突起が形成され、該外管の内周面には該内管が挿入される側の先端から所定長さで、径方向と直交する方向に延びる該係止用突起の移動をガイドするガイド溝が形成され、該ガイド溝の途中または該ガイド溝の挿入側とは反対側の端部から該ガイド溝と直交する周方向に位置する該外管の内周面には、該係止用突起が係止する凹部が該端部に近接して形成されていることを特徴とする伸縮用脚を提供するものである。
【０００６】
すなわち、本考案は、該ガイド溝は途中まで形成されたものであり、該ガイド溝の挿入側とは反対側の端には、該内管の挿入を僅かに抑制する小突起が形成されていることを特徴とする前記伸縮用脚を提供するものである。
【０００７】
すなわち、本考案は、該端部は、該ガイド溝の溝深さよりやや深い深さを有する小凹部であることを特徴とする前記伸縮用脚を提供するものである。
【０００８】
すなわち、本考案は、該係止用突起は、長手方向に所定のピッチで２〜４個形成されることを特徴とする前記伸縮用脚を提供するものである。
【０００９】
すなわち、本考案は、該端部は、該外管に該内管を固定する際、該内管が軸中心に回動を始動する始動位置であって、該外管の長手方向の中間に形成されていることを特徴とする前記伸縮用脚を提供するものである。
【００１０】
すなわち、本考案は、該端部から該凹部へは、該小凹部である第１谷、該小凹部と該凹部間の該外管の内周面である第１山、該凹部である第２谷、該凹部の反端部側で隣接する該外管の内周面である第２山の連続凹凸であることを特徴とする前記伸縮用脚を提供するものである。
【００１１】
すなわち、本考案は、該内管の挿入側の先端部は、長手方向に切り欠かれた一対の切り込みによる弾性部が形成され、該弾性部には外側に突出する内管係止部を形成したことを特徴とする前記伸縮用脚を提供するものである。
【００１２】
すなわち、本考案は、該端部と対峙する側の管壁であって、且つ該端部より上方の管壁を一部切り欠くことで、該内管係止部が係止する係止端部を形成したことを特徴とする前記伸縮用脚を提供するものである。
【００１３】
すなわち、本考案は、該外管の上端部の内周面にはネジを形成したことを特徴とする前記伸縮用脚を提供するものである。
【考案の効果】
【００１４】
本考案によれば、商品陳列台の陳列高さを数段階で簡単に調整できる。
【図面の簡単な説明】
【００１５】
【図１】本考案の実施の形態における伸縮用脚の使用例である。
【図２】本考案の実施の形態における伸縮用脚の他の使用例である。
【図３】図１の伸縮用脚の縮小状態における断面図である。
【図４】図３のＸ-Ｘ線断面図である。
【図５】図１の伸縮用脚の伸長状態における断面図である。
【図６】図１の伸縮用脚で使用する外管の正面図である。
【図７】図６のＹ−Ｙ線に沿って見た断面図である。
【図８】図７の円内の拡大図である。
【図９】図１の伸縮用脚で使用する内管の一部の斜視図である。
【図１０】図８のＺ-Ｚ線に沿って見た断面図である。
【図１１】図１の伸縮用脚で使用する内管の断面図である。
【図１２】（Ａ）は図１の伸縮用脚で使用する内管の斜視図であり、（Ｂ）は図１の伸縮用脚で使用する内管の他の斜視図である。
【図１３】図１の伸縮用脚の外管と内管を固定する方法を説明する図である。
【図１４】図１３に続く工程を説明する他の図である。
【図１５】図１４の続く工程を説明する他の図である。
【図１６】図１の伸縮用脚の中間長さ状態における断面図である。
【考案を実施するための形態】
【００１６】
次に、本考案の実施の形態における伸縮用脚を図１〜図１６を参照して説明する。伸縮用脚１０は、外管１と、外管１内に出没自在に嵌め込まれる内管２を有する。外管１は、図６〜図１０に示すように、所定長さを有する中空管であり、下方端１１５から小突起１２までが同内径の内周面１１２を有し、小突起１２より上方は上方に向けて漸次わずかに拡径の内周面１１を有している。小突起１２より上方は漸次わずかに拡径の内周面を形成することで、ガイド溝を形成せずとも、内管２の係止用突起２２が容易に上下移動できるようにしている（図７参照）。下方端１１５から小突起１２までの外管１の内径は、内管２の外径と略同じまたはそれより若干大である。これにより、外管１と内管２は隙間なく、上下移動自在に嵌合できる。
【００１７】
外管１の内周面１１２には内管２が挿入される側の先端１１５から所定長さで、係止用突起２２の移動を案内する径方向と直交する方向に延びるガイド溝１８が形成されている（図７および図９）。ガイド溝１８は内周面１１２に深さ方向に切り込み状に形成されたものであり、深さは０．４〜０．８ｍｍ、特に０．６ｍｍ程度でよい。また、ガイド溝１８の溝幅は、係止用突起２２の外径と同じまたはそれより若干大である。これにより、ガイド溝１８は係止用突起２２の移動をガイドすることができる。
【００１８】
外管１において、ガイド溝１８の挿入側（先端側）１１５とは反対側のガイド溝１８の端部１１１は、外管１に内管２を固定する際、内管２が軸中心に回動を始動する始動位置であり、また、固定状態にある内管２を外管１から固定を解除する際、内管２の回動移動から転じて上下方向の伸縮移動を開始する位置である。すなわち、端部（ターミナル部）１１１は、内管２の回動軌跡と伸縮（上下移動）軌跡の交点である。また、端部１１１は、本例では外管１の長手方向の中間に形成されている。これにより、外管１と内管２との伸縮を可能としている。
【００１９】
端部１１１は、ガイド溝１８の溝深さよりやや深い深さを有する小凹部であることが好ましい。小凹部の深さは、ガイド溝１８から更に０．２ｍｍ程度の深さ、すなわち、外筒１の内周面から０．６〜１．９ｍｍ、好ましくは０．８ｍｍ程度である。端部１１１を小凹部とすることで、係止用突起２２が小凹部が嵌まり、内管２の動きの起点または終点となることが体感できる。
【００２０】
端部１１１の挿入側（先端側）１１５とは反対側の端、すなわち、小凹部の反先端側に、内管２の挿入を僅かに抑制する小突起１２が形成されている。これにより、内管２が外管１に挿入（縮小）される際、あるいは内管２が外管１に対して伸長する際、ガイド溝１８にガイドされて移動してきた係合用突起２２が小突起１２に当るため、手で感じ取ることができ、端部（ターミナル部）１１１に係合用突起２２が位置していることを体感できる。小突起１２としては、内周面からの高さは０．４〜０．８ｍｍ、特に０．６ｍｍ程度でよい。
【００２１】
また、小凹部が矩形断面の角溝である場合、小突起１２を形成しなくともよい。角溝の反挿入側の起立状の溝壁が、小突起と同様の作用を奏する。すなわち、ガイド溝１８にガイドされて移動してきた係合用突起２２が角溝に嵌まり、起立状の溝壁がストッパーとなり、その嵌合位置を手で感じ取ることができる。この場合、角溝は係合用突起２２が嵌まり込み、且つ角溝の反挿入側の起立状の溝壁は、内周面に対して直角になっている形状であることが好ましい。
【００２２】
また、本考案において、ガイド溝１８の挿入側とは反対の端部１１１からガイド溝１８と直交する周方向に位置する外管１の内周面１１２には、係止用突起２２が係止する凹部１４が端部１１１に近接して形成されている。凹部１４は本例では端部１１１である小凹部から０．８〜３ｍｍ離れた位置の内周面１１２に形成されたものであり、係合用突起２２が嵌る大きさであり、且つ上部壁１４１と下部壁１４２を有している。これにより、端部１１１と凹部１４間には内周面１１２に相当する面１５が位置し、凹部１４の反端部１１１側には内周面１１２に相当する面１６が位置することになる。すなわち、端部１１１から凹部１４へは、小凹部１１１である第１谷、小凹部１１１と凹部１４間の外管の内周面１５である第１山、凹部１４である第２谷、凹部１４の反端部側で隣接する外管の内周面１６である第２山の連続凹凸である。これにより、内管２の係合用突起２２が外管１の端部１１１に位置する状態から、内管２を軸中心で下方から上方を見て時計方向に回動させれば、係合用突起２２は第１山を乗り越えて係合用突起２２に係止または嵌合する。この状態において、係合用突起２２は、凹部１４の上壁１４１で上方への移動が規制され、下壁１４２で下方への移動が規制される。このため、上下方向の作用力に対して、伸縮管１０はその長さを保ったままとなる。なお、面１５は内周面より極わずか凹んでいてもよい。
【００２３】
外管１は、端部１１１と対峙する側の管壁であって、且つ端部１１１より上方の管壁が一部切り欠かれ、内管２の内管係止部２３が係止する係止端部１９が形成されている。すなわち、端部１１１と径方向に対峙する側は、管壁上端に相当するもので、伸縮用脚が最大長さの場合、内管２が外管１から抜けることを防止する。
【００２４】
外管１の上端部３１の内周面には雌ネジ２５が形成されている。雌ネジ２５には、貫通孔が形成された商品陳列板Ｂを固定するビス３がねじ込まれる。これにより、伸縮用脚１０は、商品陳列板Ｂの脚となる。ビス３は雄ネジが切られている。本例では、ビス３の外径は内管２の内径よりも小である。これにより、図３に示すように、伸縮用脚１０の長さが最小となってもビス３の先端部は内管２内に入り込むため支障はない。
【００２５】
次に、内管２について図１１および図１２を参照して説明する。内管２は中空部２１と、中空部２１の先端（図１１中、下端）に位置する、内管２よりやや大径の設置部２６を有する。内管２には、係止用突起２２が、長手方向に所定のピッチで２〜４個形成されている。本例では、係止用突起２２は、中空部２１の上下長さを３等分した上端の係止用突起２２ａ、中間の係止用突起２２ｂ、他の中間の係止用突起２２ｃの３つである。係止用突起２２ａ、２２ｂおよび２２ｃは一直線上に位置している。係止用突起２２ａと中間の係止用突起２２ｂ間の距離寸法、および係止用突起２２ｂと中間の係止用突起２２ｃ間の距離寸法は、外管１の下端から端部１１１までの距離寸法と同じである。これにより、係止用突起２２ｃが外管１の端部１１１に位置する状態において、外管１の先端と内管２の設置部２６は当接するか、あるいは近接している。係止用突起２２の高さは概ね０．４〜０．８ｍｍ、好適には０．６ｍｍ程度である。また、係止用突起２２は略矩形断面形状が好ましい。
【００２６】
図１２に示すように、内管２の挿入側の先端部２１１は、長手方向に切り欠かれた一対の切り込みによる弾性部２４が形成され、弾性部２４の挿入側の先端には外側に突出する内管係止部２３が形成されている。切り込みは反挿入側の先端から所定長さ切り込まれており、一対の切り込み間の弾性部２４は、厚みが１ｍｍ前後の薄肉であり、径方向に力が作用すると少し撓むことになる。また、内管係止部２３は内管２が外管１に挿入されると、内側に撓みつつ外管１内を移動する。
【００２７】
次に、伸縮用脚１０の使用方法について説明する。先ず、図３に示すように、最小長さで使用する場合である。先ず、外管１の挿入側の端部から内管２を入れ込む。この際、外管１のガイド溝１８に係止用突起２２を入れ込みつつ挿入する。内管２の外径は外管１の内径に対して極僅か小であり、内管係止部２３は、内側に撓みつつ外管１内に挿入される。やがて、内管２の挿入側先端の係止用突起２２ａが外管１の端部１１１に到達し、小突起１２に当たると、挿入作業者の手に接触の感触が伝わる。この際、内管係止部２３は、外管１との接触から開放されている（図５参照）。更に内管２を外管１に対して挿入すると、係止用突起２２ａは、小突起１２を乗り越えて移動する。更に挿入すると、係止用突起２２ｂは、小突起１２を乗り越えて移動する。次に、係止用突起２２ｃが端部１１１に達すると、係止用突起２２ｃが小突起１２に当たるため、作業者はこれを体感できる。次いで、外管１はそのままとし、内管２を軸中心を中心として下方から上方を見て時計方向に回動させる。係止用突起２２ｃは、内管２の内周面１１２である第１山１５を乗り越え、次いで、凹部１４に入り込む。第１山１５は端部１１１に比して小さな突起であるため、人の手で回し込めば容易に回動させることができる。係止用突起２２ｃは、凹部１４に位置した状態において、凹部１４の上壁１４１、下壁１４２に挟まれた状態であり、縮小も伸長もできず、一定の長さを維持することができる。そして、この状態において、外管１の先端が内管２の設置部２６と当接または近接して、最小長さとなる（図３参照）。図１のような商品陳列台を形成する場合、このような伸縮用脚中間体を４本準備し、陳列台Ｂの貫通孔の下方に位置させ、次いで、ビス３を陳列台Ｂの貫通孔を通して、伸縮用脚中間体のネジ孔にネジ込む。これにより最小長さの伸縮用脚１０を使用した商品陳列台が完成する。
【００２８】
次に、外管１と内管２が分離されている状態において、伸縮用脚１０の長さを最大にする場合について説明する。先ず、外管１の挿入側の端部から内管２を入れ込む。この際、外管１のガイド溝１８に係止用突起２２を入れ込みつつ挿入する（図１３）。内管２の外径は外管１の内径に対して極僅か小であり、内管係止部２３は、内側に撓みつつ外管１内に挿入される。やがて、内管２の挿入側先端の係止用突起２２ａが外管１の端部１１１に到達し、小突起１２に当たると、挿入作業者の手に接触の感触が伝わる（図１４）。次いで、外管１はそのままとし、内管２を軸中心を中心として下方から上方を見て時計方向に回動させる。係止用突起２２ａは、内管２の内周面１１２である第１山１５を乗り越え、次いで、凹部１４に入り込む（図１５）。第１山１５は端部１１１に比して小さな突起であるため、人の手で回し込めば容易に回動させることができる。係止用突起２２ａは、凹部１４に位置した状態において、凹部１４の上壁１４１、下壁１４２に挟まれた状態であり、縮小も伸長もできず、一定の長さを維持することができる。そして、この状態において、伸縮用脚中間体は、最大長さとなる（図５参照）。また、この状態において、内管係止部２３が、外管１の係止端部１９に係止するため、内管２が外管１から抜け出ることを防止する。図２のような商品陳列台を形成する場合、このような伸縮用脚中間体を４本準備し、陳列台Ｂの貫通孔の下方に位置させ、次いで、ビス３を陳列台Ｂの貫通孔を通して、伸縮用脚中間体のネジ孔にネジ込む。これにより最大長さの伸縮用脚１０を使用した商品陳列台が完成する。
【００２９】
外管１と内管２が分離されている状態において、伸縮用脚１０の長さを最小と最大間に中間長さとする場合、伸縮用脚１０の長さを最小長さとする場合と同様の操作を行い、内管２の挿入側先端の係止用突起２２ｂが外管１の端部１１１に到達し、小突起１２に当たるところで、内管２の挿入操作を一旦止める。次いで、外管１はそのままとし、内管２を軸中心を中心として時計方向に回動させる。係止用突起２２ｂは、内管２の内周面１１２である第１山１５を乗り越え、次いで、凹部１４に入り込む。これにより、伸縮用脚１０を中間長さとすることができる（図１６）。
【００３０】
次に、外管１と内管２が組み込まれた一定長さに固定された伸縮用脚１０から長さを変える場合、例えば図３の最小長さの伸縮用脚１０から図５の最大長さの伸縮用脚１０にする場合について説明する。先ず、外管１と内管２の係止状態を解除する。すなわち、外管１はそのままとし、内管２を軸中心を中心として反時計方向に回動させる。係止用突起２２ｃは、内管２の内周面１１２である第１山１５を乗り越え、次いで、端部１１１に入り込む。第１山１５は凹部１４に比して小さな突起であるため、人の手で回し込めば容易に回動させることができる。係止用突起２２ｃは、端部１１１に位置した状態において、伸縮用脚１０が伸長する方向に移動させる。この場合、内管２を外管１に対してそのまま引き出せばよい。これにより、係止用突起２２ｃは、ガイド溝１８に入り、移動方向をガイドされる。そして、係止用突起２２ａが端部１１１に到達した後、前記同様に、内管２を軸中心を中心として回動させて、係止用突起２２ａを凹部１４にはめ込む。これにより、伸縮用脚１０の中間体は、最大長さとなる。そして、前記同様の方法により、図２のような商品陳列台を完成させればよい。本考案の伸縮用脚は、例えば、冷ケース内で使用する比較的小型の商品陳列台の脚として好適である。
【００３１】
本考案の伸縮用脚は、上記実施の形態例に限定されず、種々の変形を採ることができる。外管１の内径は全長に亘り同一径としてもよい。この場合、ガイド溝は外管の内周面に全長もしくは内管の移動範囲内に亘り形成すればよい。この場合、端部はガイド溝の途中に形成すればよい。係止用突起は本例のような３つに限定されず、２つでも、４つ以上でもよい。係止用突起が２つの場合、２段階調整ができ、４つの場合、４段階調整ができる。
【００３２】
ガイド溝の反挿入側の端部は、小凹部が無いものであってもよい。この場合、端部の反挿入側の端に、小突起を形成すればよい。これにより、係止用突起が小突起に当たれば、挿入を停止し、そのまま内管２を軸中心を中心として回動させればよい。また、係止用突起２２が係止する凹部１４は、内管２の時計周りに限定されず、反時計周りの方向に形成されていてもよい。また、係止用突起２２が係止する凹部１４は、内管２の時計周り方向および反時計周りの方向の双方に形成されていてもよい。
【産業上の利用可能性】
【００３３】
本考案によれば、例えば、冷ケース内の商品陳列台の高さを数段階で調整できるため、種々の演出ができる。また、本考案の伸縮用脚の長さ調整は、内管の外管に対する軸中心を中心とした回動操作と軸方向の縮小と伸長操作のみであり、簡単な作業で済む。
【符号の説明】
【００３４】
１    外管
２    内管
３    ビス
１０    伸縮用脚
１１、１１２  内周面
１２  小突起
１４  凹部
１８    ガイド溝
２２、２２ａ〜２２ｃ    係止用突起
２３    内管係止部
１１１  ガイド溝の反挿入側の端部
【図１】
0003196867.tif 000003
【図２】
0003196867.tif 000004
【図３】
0003196867.tif 000005
【図４】
0003196867.tif 000006
【図５】
0003196867.tif 000007
【図６】
0003196867.tif 000008
【図７】
0003196867.tif 000009
【図８】
0003196867.tif 000010
【図９】
0003196867.tif 000011
【図１０】
0003196867.tif 000012
【図１１】
0003196867.tif 000013
【図１２】
0003196867.tif 000014
【図１３】
0003196867.tif 000015
【図１４】
0003196867.tif 000016
【図１５】
0003196867.tif 000017
【図１６】
0003196867.tif 000018